【事件の表示】
　特願２０１２−５２８７５４「表示領域可変型ディスプレー装置」拒絶査定不服審判事件〔平成２３年　３月１７日国際公開、ＷＯ２０１１／０３１１２２、平成２５年　２月　７日国内公表、特表２０１３−５０４７８３〕について、次のとおり審決する。
【結　論】
　本件審判の請求は、成り立たない。
【理　由】
１　手続の経緯
　本願は、２０１０年９月１４日（パリ条約による優先権主張外国庁受理２００９年９月１４日、韓国、２０１０年９月１０日、韓国）を国際出願日とする出願であって、平成２６年３月２８日付けで拒絶の理由が通知され、これに対する出願人の応答がないまま、同年１１月２１日付けで拒絶査定がなされた。
　本件は、これを不服として、平成２７年３月２６日に請求された拒絶査定不服審判である。
　
２　本願発明
　本願の特許請求の範囲の請求項１に係る発明（以下「本願発明」という。）は、平成２４年５月１１日に提出された国際出願翻訳文提出書の特許請求の範囲の請求項１に記載された次のとおりのものと認める。
「【請求項１】
　折り畳み可能な本体を有するベースプレートと、前記ベースプレートの一面に設置され、前記ベースプレートの折り畳みによってその表示領域が折り畳まれて変更されるディスプレー部と、前記ベースプレートの折り畳みの前、後に前記ベースプレートを支持するプレート支持部材とを含む表示領域可変型ディスプレー装置。」
　
３　引用刊行物
　これに対して、原査定の拒絶の理由に引用された、本願の優先日前である平成１６年４月８日に頒布された特開２００４−１０９３８２号公報（以下「引用例」という。）には、次の事項が記載されている。（下線は当審で付した。）
ア　発明の詳細な説明の記載
「【０００１】
【発明の属する技術分野】
本発明は、携帯性に優れた
折畳可能なディスプレイ
「【００２２】
【発明の実施の形態】
以下、本発明に係る入力装置について本発明を具体化した実施形態に基づき図面を参照しつつ詳細に説明する。先ず、本実施形態に係る入力装置の概略構成について図１及び図２に基づき説明する。図１は入力装置の斜視図、図２は入力装置を模式的に示す分解斜視図である。
【００２３】
図１において、入力装置１００は、基本的に、キーボード１、
キーボード１に付設された制御部本体１０１
「【００５６】
続いて、フレキシブルディスプレイ１０２ついて、図１、図２及び図６に基づき説明する。図６はフレキシブルディスプレイの分解斜視図である。
【００５７】
フレキシブルディスプレイ１０２は、相互にスライド可能に構成された蓋部材１０７、１１７に渡って配置されるとともに、可撓性を有するプラスチック製のベースフィルム上に有機ＥＬ素子を形成してなるカラー有機ＥＬディスプレイ１１８を主体として構成されている
【００５８】
蓋部材１０７の下側には、支持部１０８、１１２が一体に形成されており、支持部１０８の外側両端面には、支持軸１０９及び支持孔１１０が形成されている。支持軸１０９は、制御部本体１０１の支持凹部１０４の支持孔１０６に回動可能に支持され、また、支持孔１１０には、支持凹部１０４に形成された図示しない支持軸が回動可能に支持されている
【００５９】
これにより、フレキシブルディスプレイ１０２におけるカラー有機ＥＬディスプレイ１１８により構成される表示部１１５は、図１、図４及び図５に示すように、入力装置１００の使用時に第１キーボードユニット３及び第２キーボードユニット４を水平状態にした際におけるキーボード１の長さと略等しい長さを有するものであるが、前記した支持構造に基づき、フレキシブルディスプレイ１０２は、制御部本体１０１に対して片持ち梁状態で回動可能に支持されるものである。また、蓋部材１０７の左側部には、係止突起１１９を有する２つのフック部材１２０が一体に形成されている。
【００６０】
また、蓋部材１１７の右側部には、蓋部材１０７の各フック部材１２０に対応して、２つの係合部１２１が一体に形成されており、蓋部材１０７の各フック部材１２０の係止突起１１９は、後述するように、入力装置１００を折り畳んだ際に、蓋部材１１７の係合部１２１に係合する。更に、蓋部材１１７の右側下端部には、突起部材１２２が一体に形成されている。かかる突起部材１２２は、前記したようにフレキシブルディスプレイ１０２が制御部本体１０１に対して片持ち梁状態で回動可能に支持されており、フレキシブルディスプレイ１０２を図１に示すように平面状態に開放した際に蓋部材１１７の下端と入力装置１００の設置面との間に隙間が生じた場合には制御部本体１０１とフレキシブルディスプレイ１０２の支持構造に過度の応力が集中してガタが発生するおそれがあり、場合によってはフレキシブルディスプレイ１０２が蓋部材１１７側が下方に傾いてしまうおそれがあることから、突起部材１２２の下端面と入力装置１００の底面とを同一面とすることにより、フレキシブルディスプレイ１０２を傾斜させることなく設置面に安定して支持するためのものである。このとき、前記した各支持軸１０９、支持孔１１０、支持軸１１３、１１４の軸中心と突起部材１２２の軸中心とを同一軸に設定されており、これにより後述するように、フレキシブルディスプレイ１０２を折り畳んだ際に突起部材１２２が障害となることはない。
【００６１】
次に、蓋部材１０７、１１７を相互にスライド可能に連結する構成について図６に基づき説明する。図６において、蓋部材１０７における平板部１２３の周囲には、平面視でコ字状に壁部１２４が形成されており、この壁部１２４の内相互に対向する一対の壁部１２４Ａの内側端部（図６における右側端部）の近傍には、両側が閉塞した長孔１２５が形成されている。また、蓋部材１１７を構成する平板部１２６の周囲には、平面視でコ字状の壁部１２７が形成されており、この壁部１２７内相互に対向する一対の壁部１２７Ａの内側端部（図６における左側端）の近傍には、長孔１２５と同様、両側が閉塞した長孔１２８が形成されている。
【００６２】
また、蓋部材１０７の右側端部と蓋部材１１７の左側端部の間には、半円筒状の連結部材１２９が配設されている。かかる連結部材１２９は、半円筒部１３０と半円筒部１３０の両端を閉じる半円板部１３１を有しており、各半円板部１３１の端縁には、その中央部にて連結されるように長円状のリンク部１３２が一体に形成されている。各リンク部１３２の両端部にはネジ孔１３３が形成されており、各ネジ孔１３３には、それぞれネジ１３４が挿通されるとともに、各ネジ１３４は、蓋部材１０７の壁部１２４Ａに形成された長孔１２５、及び、蓋部材１１７の壁部１２７Ａに形成された長孔１２８に遊嵌されている。そして、各ネジ１３４の端部には、ナット１３５が締結されている。これにより、連結部材１２９の両側で蓋部材１０７及び蓋部材１１７をリンク連結するリンク機構が構成される。
【００６３】
前記リンク機構の構成に基づき、蓋部材１０７と１１７とは、その各長孔１２５、１２８及び連結部材１２９のリンク部１３２のネジ孔１３３に挿通された各ネジ１３４を介して、相互に連結されることとなり、また、各蓋部材１０７、１１７は、各ネジ１３４が長孔１２５、１２８に沿って摺動可能であることから、相互にスライド可能となるものである。
【００６４】
前記有機ＥＬディスプレイ１１８の下面側には、ステンレス等のバネ性を有する弾性金属薄板１３６が貼付されており、かかる弾性金属薄板１３６は、前記のように構成された蓋部材１０７の平板部１２３、連結部材１２９の開放側、及び、蓋部材１１７の平板部１２６の全体に渡って支持配置されている。これにより、フレキシブルディスプレイ１１８は、その弾性金属薄板１３６側が蓋部材１０７の平板部１２３、連結部材１２９の開放側、及び、蓋部材１１７の平板部１２６の全体に渡って支持配置されることとなり、従って、フレキシブルディスプレイ１１８は、その開放状態で弾性金属薄板１３６の弾性力とも相まって平面状態に保持することができる。これにより、フレキシブルディスプレイ１１８に波打ち現象等が発生することを防止して文字等を安定して表示することができる。
【００６５】
ここに、弾性金属薄板１３６が貼付された有機ＥＬディスプレイ１１８の一端（左端）は、蓋部材１０７における左側の壁部１２４に固定されるとともに、蓋部材１０７の壁部１２４の内側全周に渡って形成された配置溝（図示せず）及び蓋部材１１７の壁部１２７の内側全周に渡って形成された配置溝（図示せず）に摺動可能に遊嵌されている。そして、前記のように、蓋部材１０７と蓋部材１１７とが相互にスライドする際には、有機ＥＬディスプレイ１１８は、蓋部材１０７、１１７の配置溝に沿って摺動される。
【００６６】
尚、後述するように、
有機ＥＬディスプレイ１１８が折り畳まれる際、蓋部材１０７及び１１７が相互にスライドされた後に折り畳まれ
【００６７】
また、連結部材１２９における各半円板部１３１のリンク部１３２を一体に形成するとともに、リンク部１３２のネジ孔１３３及び蓋部材１０７の長孔１２５、蓋部材１１７の長孔１２８にネジ１３４を挿通することにより連結部材１２９を介して蓋部材１０７と蓋部材１１７とを相互に連結するように構成したので、各半円板部１３１に一体形成されたリンク部１３２は、相互に同期して作動することとなり、従って、フレキシブルディスプレイ１０２における蓋部材１０７と蓋部材１１７との開閉動作を安定して行うことができ、また、開閉時各蓋部材１０７、１１７が傾いた状態で開閉されることはない。
【００６８】
続いて、前記のように構成された入力装置１００におけるキーボード１及びフレキシブルディスプレイ１０２の折畳動作について図７及び図８に基づき説明する。図７は入力装置に付設されたキーボードを使用状態から順次折り畳んでいく状態を示す説明図であり、図７（Ａ）はキーボード及びフレキシブルディスプレイを使用状態にセットした状態の入力装置を示す説明図、図７（Ｂ）はキーボードの折畳動作が完了する直前の状態を示す説明図、図７（Ｃ）はキーボードの折畳動作が完了した状態を示す説明図である。また、図８はキーボードを折り畳んだ後フレキシブルディスプレイを順次折り畳んでいく状態を示す説明図であり、図８（Ａ）は図７（Ｃ）の状態からフレキシブルディスプレイを回動させて折り畳まれたキーボードの上面に当接させた状態を示す説明図、図８（Ｂ）は図８（Ａ）の状態から各蓋部材が相互に離間する方向にスライドさせた状態を示す説明図、図８（Ｃ）は図８（Ｂ）の状態からキーボードの上面に当接されていない蓋部材をキーボードの下面に当接するまで回動してフレキシブルディスプレイの折畳が完了した状態を示す説明図である。
【００６９】
先ず、入力装置１００の使用状態においては、図７（Ａ）に示すように、キーボード１を構成する第１キーボードユニット３と第２キーボードユニット４とは、回動連結部２を介して離間する方向に回動されて水平状態にされている。これにより、第１キーボードユニット３及び第２キーボードユニット４は、その操作面積がデスクトップ型のキーボードと同等となり、キー操作性が格段に向上する。
このとき、キーボード１の長手方向の長さを「Ｌ１」とする。また、同様に入力装置１００の使用状態においては、フレキシブルディスプレイ１０２における蓋部材１０７と蓋部材１１７とに渡って配置されたカラー有機ＥＬディスプレイ１１８は、図７（Ａ）に示すように、キーボード１から入力された文字等の各種情報をフルサイズで表示可能なように平面状態にされている。このとき、フレキシブルディスプレイ１０２の長手方向における長さ「Ｌ２」は、キーボード１の長さ「Ｌ１」と略等しくされている。従って、フレキシブルディスプレイ１０２においてカラー有機ＥＬディスプレイ１１８により構成される表示部１１５の長さは、キーボード１の長さ「Ｌ１」に略等しくなる。これにより、フレキシブルディスプレイ１０２の表示部１１５は、その表示面積が広くなって表示される文字等の各種情報が見易くなるとともに、文字等を表示するにつき何等制約を受けることがない。
【００７０】
尚、図７（Ａ）はフレキシブルディスプレイ１０２が、その折り畳まれた状態から平面状態に伸張された状態を示すが、このとき、フレキシブルディスプレイ１０２は、第１キーボードユニット３と第２キーボードユニット４が水平状態にされたキーボード１の長手方向と平行な方向に伸張されるので、フレキシブルディスプレイ１０２における表示部１１５は、操作可能な状態にあるキーボード１の長手方向と平行な方向に配置されることとなり、従って、キーボード１の操作中にフレキシブルディスプレイ１０２が見易くなり、キー操作性が向上する。
【００７１】
尚、蓋部材１１７の右側下端部に形成されている突起部材１２２の下端面は、キーボード１及び制御部本体１０１の底面と同一面となり、従って、フレキシブルディスプレイ１０２は、制御部本体１０１に対して片持ち梁状態で支持されているものの、蓋部材１１７側が下方に傾くことなく水平状態で安定して支持されている。
【００７２】
そして、図７（Ａ）に示す状態から第２キーボードユニット４を回動連結部２の回りに左方向へ回動させると、図７（Ｂ）に示す状態となり、更に第２キーボードユニット４を左方向へ回動させると、第２キーボードユニット４は第１キーボードユニット３に重ね合わされる。この状態が図７（Ｃ）に示されている。このとき、第１キーボードユニット３と第２キーボードユニット４とが折り畳まれた状態におけるキーボード１の長さは「Ｌ３」に設定されている。また、第１キーボードユニットの幅（第２キーボートユニットの幅と同一幅）と制御部本体１０１の幅とを加えた幅は「Ｗ１」に設定されており、かかる幅「Ｗ１」はフレキシブルディスプレイ１０２の幅「Ｗ２」に等しい。
【００７３】
更に、フレキシブルディスプレイ１０２は、図７（Ｃ）に示す状態から手前側に回動され、蓋部材１０７の壁部１２４が折り畳まれたキーボード１の上面（第２キーボードユニット４の底面）に当接される。この状態が図８（Ａ）に示されている。
【００７４】
このとき、フレキシブルディスプレイ１０２の蓋部材１０７と蓋部材１１７は、共に連結部材１２９側にスライドされて固定された状態にある。かかる状態について図９（Ａ）及び図１０に基づき説明する。図９（Ａ）は平面状態にあるフレキシブルディスプレイの連結部材付近の構造を示す拡大断面図である。図１０は平面状態にあるフレキシブルディスプレイの連結部材付近の構造を示す拡大斜視図である。
【００７５】
図１０において、蓋部材１０７における各壁部１２４Ａに形成された長孔１２５よりも外側には段差部１３７が形成されており（図６参照）、かかる段差部１３７を利用して右側が開放された横Ｕ字状のＵ字溝１３８が設けられている。また、同様に蓋部材１１７における各壁部１２７Ａに形成された長孔１２８よりも外側には段差部１３９が形成されており、かかる段差部１３９を利用して左側が開放された横Ｕ字状のＵ字溝１４０が設けられている。
【００７６】
そして、各蓋部材１０７、１１７が連結部材１２９側にスライドされた状態においては、蓋部材１０７にてネジ１３４は、長溝１２５の左端に当接し、これに伴いＵ字溝１３８の左端に当接している。また、蓋部材１１７にてネジ１３４は長孔１２８の右端に当接し、これに伴いＵ字溝１４０の右端に当接している。このとき、上側の段差部１３７は、連結部材１２９の半円板部１３１に形成されたリンク部１３２と半円板部１３１との間隙に嵌合されており、また、上側の段差部１３９は、同様にリンク部１３２と半円板部１３１との間隙に嵌合されている。かかる構成に基づき、蓋部材１０７及び蓋部材１１７と連結部材１２９とは、ロックされた状態となり、これにより各蓋部材１０７、１１７は回動されることなく有機ＥＬディスプレイ１１８を平面状態に保持するものである。
【００７７】
尚、前記図１０に示す状態を断面で示すと図９（Ａ）に示す状態となり、図９（Ａ）において、フレキシブルディスプレイ１０２における蓋部材１０７の２つの壁部１２４Ａの端面と蓋部材１１７の壁部１２７Ａの端面とは、各蓋部材１０７、１１７が連結部材１２９側にスライドされて相互に当接している。
【００７８】
続いて、前記図８（Ａ）に示す状態から、蓋部材１０７と蓋部材１１７とは、それぞれ外側に向かってスライドされる。このように各蓋部材１０７、１１７が相互にスライドされた状態について図９（Ｂ）及び図１１に基づき説明する。図９（Ｂ）は図９（Ａ）の状態から各蓋部材を相互に外側に向かってスライドした状態にあるフレキシブルディスプレイの連結部材付近の構造を示す拡大断面図である。図１１は図９（Ａ）の状態から各蓋部材
を相互に外側に向かってスライドした状態にあるフレキシブルディスプレイの連結部材付近の構造を示す拡大斜視図である。
【００７９】
図１１において、各蓋部材１０７、１１７がそれぞれ外側に向かってスライドされた状態においては、蓋部材１０７にてネジ１３４は、長溝１２５の右端に当接し、これに伴いＵ字溝１３８の左端から開放側に移動している。また、蓋部材１１７にてネジ１３４は、長孔１２８の左端に当接し、これに伴いＵ字溝１４０の右端から開放側に移動している。このとき、上側の段差部１３７は、連結部材１２９の半円板部１３１に形成されたリンク部１３２と半円板部１３１との間隙から離脱し、また、上側の段差部１３９は、同様にリンク部１３２と半円板部１３１との間隙から離脱する。これにより、蓋部材１０７及び蓋部材１１７と連結部材１２９との間におけるロック状態は解除され、各蓋部材１０７、１１７は回動可能な状態となって有機ＥＬディスプレイ１１８の折畳が可能となる。
【００８０】
尚、前記図１１に示す状態を断面で示すと図９（Ｂ）に示す状態となり、図９（Ｂ）において、フレキシブルディスプレイ１０２における蓋部材１０７の２つの壁部１２４Ａの端面と蓋部材１１７の壁部１２７Ａの端面とは、相互に離間された状態になる。
【００８１】
この後、蓋部材１１７は、図８（Ｂ）における下方向（時計方向）に回動され、前記のように折り畳まれたキーボード１の下面（第１キーボードユニット３の底面）に当接されるとともに、蓋部材１０７に形成された各フック部材１２０の係止突起１１９が蓋部材１１７の各係合部１２１に係合されて各蓋部材１０７、１１７は折り畳まれた状態で相互にロックされる。
【００８２】
このとき、カラー有機ＥＬディスプレイ１１８の一端は、蓋部材１０７における左側の壁部１２４に固定されるとともに、壁部１２４の内側全周に渡って形成された配置溝及び蓋部材１１７の内側全周に渡って形成された配置溝に摺動可能に遊嵌されていることから、前記のように各蓋部材１０７、１１７を折り畳んだ際には、カラー有機ＥＬディスプレイ１１８は、図９（Ｃ）に示すように、折り畳まれて第１キーボードユニット３と第２キーボードユニット４とが相互に重ね合わせられたキーボード１の上下両面を被覆するように折り畳まれ、且つ、蓋部材１０７、１１７の折畳動作に追随して配置溝に沿って摺動し、連結部材１２９における半円筒部１３０の内部においてその湾曲面に沿って湾曲状態で折り畳まれる。尚、図９（Ｃ）は図９（Ｂ）の状態から蓋部材を回動させてカラー有機ＥＬディスプレイを折り畳んだ状態にあるフレキシブルディスプレイの連結部材付近の構造を示す拡大断面図である。」
イ　図面の記載
「【図１】
　　　　　　　　　　　　　　　　　　　　　　　　」
「【図７】
　　　　　　　　　　　　　　　　　　　　　　　　」
「【図８】
　　　　　　　　　　　　　　　　　　　　　　　　」
ウ　上記ア及びイの記載事項の考察
（ア）上記イの記載事項の図１及び図７（Ａ）から、「フレキシブルディスプレイ１０２」は、「平面状態に伸長された状態」で「支持部１０８、１１２」により「キーボード１に付設された制御部本体１０１」に支持されていることが読み取れる。
（イ）上記イの記載事項の図７（Ｃ）ないし図８（Ｃ）から、「フレキシブルディスプレイ１０２」は、「折り畳まれた」状態で「キーボード１」及び「支持部１０８、１１２」により支持されていることが読み取れる。
エ　引用例記載の発明
　上記ア及びイの記載事項並びに上記ウの考察によると、引用例には、以下の発明（以下「引用発明」という。）が記載されていると認められる。
「有機ＥＬディスプレイ１１８が折り畳まれる際、蓋部材１０７及び１１７が相互にスライドされた後に折り畳まれる折畳可能なディスプレイであって、
　フレキシブルディスプレイ１０２は、相互にスライド可能に構成された蓋部材１０７、１１７に渡って配置されるとともに、可撓性を有するプラスチック製のベースフィルム上に有機ＥＬ素子を形成してなるカラー有機ＥＬディスプレイ１１８を主体として構成され、
　蓋部材１０７の下側には、支持部１０８、１１２が一体に形成されており、支持部１０８の外側両端面には、支持軸１０９及び支持孔１１０が形成されており、支持軸１０９は、キーボード１に付設された制御部本体１０１の支持凹部１０４の支持孔１０６に回動可能に支持され、また、支持孔１１０には、支持凹部１０４に形成された支持軸１０９が回動可能に支持されており、
　フレキシブルディスプレイ１０２は、平面状態に伸長された状態で支持部１０８、１１２によりキーボード１に付設された制御部本体１０１に支持されており、折り畳まれた状態でキーボード１及び支持部１０８、１１２により支持されている、
折畳可能なディスプレイ。」
　
４　対比及び当審の判断
　以下、本願発明と引用発明とを対比する。
（１）引用発明の「蓋部材１０７及び１１７」、「カラー有機ＥＬディスプレイ１１８を主体として構成され」た「フレキシブルディスプレイ１０２」及び「支持部１０８、１１２」は、本願発明の「本体を有するベースプレート」、「ディスプレー部」及び「プレート支持部材」にそれぞれ相当する。
（２）引用発明の「有機ＥＬディスプレイ１１８が折り畳まれる際、蓋部材１０７及び１１７が相互にスライドされた後に折り畳まれ」る構成は、本願発明の「折り畳み可能な本体を有するベースプレート」「を含む」構成に相当する。
（３）引用発明は、「有機ＥＬディスプレイ１１８が折り畳まれる際、蓋部材１０７及び１１７が」「折り畳まれ」るものであって、「蓋部材１０７及び１１７が」「折り畳まれ」ることにより、「有機ＥＬディスプレイ１１８」の表示領域の形状が変化することは明らかであるから、本願発明の「ベースプレートの折り畳みによってその表示領域が折り畳まれて変更される」こと、及び、「表示領域可変型」に相当する構成を有するものである。
　そうすると、引用発明の「フレキシブルディスプレイ１０２は、相互にスライド可能に構成された蓋部材１０７、１１７に渡って配置されるとともに、可撓性を有するプラスチック製のベースフィルム上に有機ＥＬ素子を形成してなるカラー有機ＥＬディスプレイ１１８を主体として構成され」る構成は、本願発明の「前記ベースプレートの一面に設置され、前記ベースプレートの折り畳みによってその表示領域が折り畳まれて変更されるディスプレー部」「を含む」構成に相当する。
　また、引用発明の「折畳可能なディスプレイ」は、本願発明の「表示領域可変型ディスプレー装置」に相当する。
（４）引用発明の「フレキシブルディスプレイ１０２は、平面状態に伸長された状態で支持部１０８、１１２によりキーボード１に付設された制御部本体１０１に支持されており、折り畳まれた状態でキーボード１及び支持部１０８、１１２により支持されている」構成は、本願発明の「前記ベースプレートの折り畳みの前、後に前記ベースプレートを支持するプレート支持部材」「を含む」構成に相当する。
　上記（１）及び（４）から、本願発明と引用発明は、
「折り畳み可能な本体を有するベースプレートと、前記ベースプレートの一面に設置され、前記ベースプレートの折り畳みによってその表示領域が折り畳まれて変更されるディスプレー部と、前記ベースプレートの折り畳みの前、後に前記ベースプレートを支持するプレート支持部材とを含む表示領域可変型ディスプレー装置。」で一致し、相違点はない。
　よって、本願発明は引用発明である。
　次に、上記「３　引用刊行物」「ウ　上記ア及びイの記載事項の考察」「（イ）」において、上記イの記載事項の図７（Ｃ）ないし図８（Ｃ）から、引用例に記載された「ディスプレー装置」は、「フレキシブルディスプレイ１０２」が、「折り畳まれた状態」では「支持部１０８、１１２」のみによって支えられているわけではないから、該「フレキシブルディスプレイ１０２」は、「折り畳まれた状態でキーボード１及び支持部１０８、１１２により支持されている」点を一応の相違点として、以下、検討する。
　折り畳み可能なディスプレーにおいて、ディスプレーが折り畳まれた状態で支持部材がディスプレーを支えるように構成することは、周知技術（米国特許出願公開第２００５／０２５３７７５号明細書、［００４８］−［００５１］、FIG.3a-FIG.3d参照。）であり、引用発明も該周知技術もいずれも折り畳み可能なディスプレーに関するものであるから、引用発明において、該周知技術を採用して、引用発明の「フレキシブルディスプレイ１０２」が「折り畳まれた状態で支持部１０８、１１２によりキーボード１に付設された制御部本体１０１に支持されている」ようにすることに、格別の困難性はない。
　そして、本願発明によってもたらされる効果は、引用発明及び周知技術から当業者が予測できる範囲内のものと認められる。
　よって、本願発明は、引用発明及び周知技術に基いて、当業者が容易に発明をすることができたものである。
　
５　むすび
　以上のとおり、本願発明は、引用発明であるから、特許法第２９条第１項第３号に規定する発明に該当し特許を受けることができないか、または、引用発明及び周知技術に基いて当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。